(57)【要約】【課題】書籍保持台機能と書籍すべり落ちストッパー機能を備えた筆入れを提供することを目的とする。【解決手段】書籍が倒れない様に筆入れ本体８の上蓋を書籍保持台１とし、筆入れ内の一部仕切り板１６或は、底板１５に書籍保持台を適度な角度に固定する為のストッパーステ１１を取り付け書籍台機能を備え、また、書籍１０がすべり落ち無い様にページがめくれない様にストッパープレート４がスライドして出てくる機能を備えまた、筆入れ本体８の両側面に書籍すべり落ちストッパープレート４のスライド軸６を取り付けたことを特徴とする。【選択図】図５
2007307329.tif 000002
【特許請求の範囲】
【請求項１】
書籍が倒れない様に筆入れの上蓋を、書籍保持台とする事を特徴とすし、筆入れ内の一部仕切り板或は、底板に書籍保持台を適当な角度に固定する為のストッパーステを取り付けた書籍保持台機能を備えた事を特徴とする書籍保持台付き筆入れ。
【請求項２】
書籍がすベり落ちない様に、ページがめくれない様にストッパープレートがスライドして出てくる機能を備えた事を特徴とした請求項１記載の書籍保持台付き筆入れ。
【請求項３】
従来の筆入れの上蓋が書籍保持台となり、その保持台の適当な角度に固定するストッパーステの当たり面にラッチ或は、凸部を筆入れ背板に任意の場所に備えた事を特徴とする請求項１記載の書籍保持台付き筆入れ。
【請求項４】
書籍がすべり落ちない様に、ページがめくれない様にストッパープレートがスライドして出てくる軸の先端に備えたガイドプレートを、筆入れ本体の両サイドに備えた事を特徴とする請求項１記載の書籍保持台付き筆入れ。
【発明の詳細な説明】
【技術分野】
【０００１】  本発明は、書籍保持台つき機能を備えた筆入れに関するものである。
【背景技術】
【０００２】  従来、小学生が使用する筆入れは、鉛筆、消しゴム、定規などを入れる。
また、鉛筆削り器の付いたものや、裏表の二枚蓋が付いた筆入れもあるが、しかし、学校の机の上はそれ程広くなく、教科書、ノート、筆入れを置くと机の上は隙間がなく、また、教科書を水平に置く事で文字も見難く不便であった。
【特許文献１】  なし
【発明の開示】
【発明が解決しようとする課題】
【０００３】  そこで、本発明は、上述の課題を解決するために、書籍保持台機能を備えた筆入れを提供することを課題とする。
【課題を解決するための手段】
【０００４】  上述の課題を解決するために、本発明の請求項１の書籍が倒れない様に筆入れの上蓋を、書籍保持台とする事を特徴とし、筆入れ内の一部仕切り板或は、底板に書籍保持台を適度な角度に固定するストッパーステを取り付けた書籍保持台機能を備えた事を特徴とする。【０００５】  また、本発明の請求項２の書籍がすべり落ちない様に、ページがめくれない様にストッパープレートがスライドして出てくる機能を備えたことを特徴とする請求項１に記載の書籍保持台付き筆入れ。【０００６】  また、本発明の請求項３の従来の筆入れの上蓋が書籍保持台となりその保持台の適度な角度に固定するストッパーステの当たり面にラッチ或は、凸部を設けて筆入れ背板に設けた事を特徴とする請求項１に記載の書籍保持台付き筆入れ。【０００７】  また、本発明の請求項２の書籍がすべり落ちない様に、ページがめくれない様にストッパープレートがスライドして出てくる軸のガイドプレートを、筆入れの両サイドに取り付けた事を特徴とする請求項１に記載の書籍保持台付き筆入れ。【０００８】  また、本発明の請求項４の筆入れ本体の両サイドに、書籍がすべり落ちない様に、ページがめくれない様にすべり落ちストッパープレートがスライドして出てくるスライド軸ガイドプレートを筆入れ本体の両サイドに備えた事を特徴とする請求項１に記載の書籍保持台付き筆入れ。
【発明の効果】
【０００９】  本発明の書籍保持台つき機能を備えた筆入れは、机の上が広く使え書籍が見易く読みやすく目にも良い、また、書籍を手で持つにも素早く持てる利点がある。
【発明を実施するための最良の形態】
【００１０】    以下、本発明の実施例の形態を代表的な実施例に基づいて図を用いて説明する。
【実施例１】
【００１１】  図１は、本発明の第１実施例の書籍保持台機能を備えた筆入れの斜視図である。
筆入れ本体８の蓋１に蓋を開けるための取っ手部３、書籍１０すべり落ちストッパープレート４の使用前の状態である。
【実施例２】
【００１２】  また、図２は、本発明の第２実施例の書籍保持台１（蓋）付き本体８の裏面からの斜視図である。
書籍すべり落ちストッパープレート４をスライド軸６に固定し、そのスライド軸６をガイドプレート７に組み込んで、その部品を筆入れの両サイドに取り付けたものである。
【実施例３】
【００１３】  また、図３は、本発明の第３実施例の書籍保持台付き筆入れ本体８を実際に書籍１０が保持出来る様にセットした斜視図である。
【実施例４】
【００１４】  また、図４は、本発明の第４実施例の書籍保持台付き筆入れに書籍１０を書籍すべり落ちストッパープレート４に立てかけた斜視図である。
【実施例５】
【００１５】  また図５は、本発明の第５実施例の書籍保持台付き筆入れ本体８を上斜視図であり、書籍保持台１を固定ストッパー１１が筆入れ内の仕切り板１６或は底板１５に取り付けられており適度な傾斜角度に固定され書籍すべり落ちストッパープレート４が約３．５センチスライドされている。
【実施例６】
【００１６】  また、図６は、本発明の第６実施例の書籍保持台付き筆入れ本体８に書籍１０を置いた上斜視図である。
【実施例７】
【００１７】  また、図７は、本発明の第７実施例の書籍すべり落ちストッパープレート４がスライド軸６に固定され、そのスライド軸６がガイドプレート７に差し込まれた斜視図であり、このセットが従来の筆入れに備えられている。
【実施例８】
【００１８】  また、図８は、本発明の第８実施例の書籍保持台付き筆入れ本体の書籍すべり落ちストッパープレートがスライド用の軸に取り付けられ、その先端部にスライドストッパー用突起部１２を備えた斜視図である。
また、図９は、本発明の第７実施例のすべり落ちストッパープレート４にスライド軸６にガイドプレート７を組み込んだ拡大図であり、スライド軸６はスライドガイド１４をスライドしてストッパー用突起部１２で任意の位置で止まる。
【図面の簡単な説明】
【００１９】
【図１】本発明の書籍保持台付き筆入れ本体の斜視図である。
【図２】本発明の書籍保持台付き筆入れ本体の裏面からの斜視図である。
【図３】本発明の書籍保持台付き筆入れ本体を実際にセットした斜視図である。
【図４】本発明の書籍保持台付き筆入れ本体に書籍をすべり落ちストッパープレートに立てかけた説明図である。
【図５】本発明の書籍保持台付き筆入れ本体の上斜視図である。
【図６】本発明の書籍保持台付き筆入れ本体に書籍を置いた上斜視図である。
【図７】本発明の書籍すべり落ちストッパープレートアッセンブリーの斜視図である。
【図８】本発明の書籍保持台付き筆入れ本体の書籍すべり落ちストッパープレートがスライド用の軸に取り付けられその、先端部にスライドストッパー用突起部を備えた斜視図である。
【図９】本発明の書籍保持台付き筆入れ本体に書籍すべり落ちストッパープレートに軸を取り付けそのガイドプレートの拡大図である。
【符号の説明】
【００２０】  １  書籍保持台（上蓋）
２  裏板
３  取っ手部
４  ストッパープレート
５  接着部分
６  スライド軸
７  ガイドプレート
８  筆入れ本体
９  マグネット部
１０  書籍
１１  ストッパーステ
１２  ストッパー用突起部
１３  スライド用ストッパー
１４  スライド用ガイド
１５  底板
１６  仕切り板
１７  机
【図１】
2007307329.tif 000003
【図２】
2007307329.tif 000004
【図３】
2007307329.tif 000005
【図４】
2007307329.tif 000006
【図５】
2007307329.tif 000007
【図６】
2007307329.tif 000008
【図７】
2007307329.tif 000009
【図８】
2007307329.tif 000010
【図９】
2007307329.tif 000011